(57)【要約】      （修正有）【課題】両側から引出し可能な引出し装置において、収納物の重量に関係なく、大して力を費やさずに、全部を引出すことが出来るようにする。【解決手段】ボックス１の両端部域にそれぞれ第一の覆い３、第二の覆い４を付る。それぞれの覆いに付けられた取外し可能なロック装置により、引出し２をボックス１から引出す際に覆いが引出される側の正面側端部域にロックでき、反対側で開口部を塞ぎボックス１にロックする。ロック装置は、各覆い３、４に取付けられた保持エレメント１４と、これに垂直方向に摺動可能なロックエレメントからなる。  第１のカム８が引出し２に取付けら、第２のカム９がボックスに取付けらる。引出し２を引出すとロックエレメントが第２のカム９によって制御され第１のカム８のロック部域の中に達し、引出し２を対応する覆い３ないしは４から引離すとロックエレメントが第１のカム８によって制御され第２のカム９のロック部域の中に達する。【選択図】図２
2006305350.tif 000002
【特許請求の範囲】
【請求項１】
両側でリニアガイド（５）に沿って引出すことのできる自立型ボックス（１）のための引出し（２）で、正面側の端部域にそれぞれ覆い（３、４）を付けていて、前記覆い（３、４）に備え付けられた取外し可能なロック装置により、引出し（２）をボックス（１）から引出す際に前記覆いが一方の側で引出しの引出される側の正面側端部域にロックでき、反対側で開口部をふさぐために前記ボックス（１）にロックできるようになっている引出しであって、各ロック装置が、前記覆い（３、４）に取付けられた、引出し方向に対して横向きに褶動できるロックエレメント（２３）を保持する保持部品（１０）、引出し（２）に取付けられた第１のカム（８）、及び、ボックス（１）に取付けることのできる第２のカム（９）からなり、前記第１のカム（８）と第２のカム（９）は、引出し（２）を引出すとロックエレメント（２３）が第２のカム（９）によって制御されながら第１のカム（８）のロック部域の中に達し、引出し（２）を前記覆い（３、４）から引離すと前記ロックエレメント（２３）が第１のカム（８）によって制御されながら第２のカム（９）のロック部域の中に達するように形作られていることを特徴とする引出し。
【請求項２】
前記両方の覆い（３、４）のためにそれぞれ２つのロック装置が設けられており、これらがそれぞれ対応する前記覆い（３、４）の側縁部域に配置されていることを特徴とする、請求項１に記載の引出し。
【請求項３】
前記保持部品（１０）が各々、前記覆い（３、４）に締結された１つの締結ピース（１１）から作られており、その一方の脚（１３）が前記覆い（３、４）から引出し方向に突き出ており、これに、互いに間隔をあけた２枚のプレート（２０、２１）から作られた保持エレメント（１４）が調整可能な形で締結されており、前記プレートのそれぞれに設けられた縦スリット（２２）の中に、ピン（２４）の形をなす前記ロックエレメント（２３）が挿入できるようになっていることを特徴とする、請求項１又は２に記載の引出し。
【請求項４】
前記ピン（２４）が両端部域にガイド面（２５）を備えており、これが前記プレート（２０、２１）で支えられていることを特徴とする、請求項３に記載の引出し。
【請求項５】
前記第１のカム（８）と第２のカム（９）は、引出し（２）がボックス（１）に押込まれた状態のときに重なり合って前記両プレート（２０、２１）の間に立つように配置されていることを特徴とする、請求項３又は４に記載の引出し。
【請求項６】
前記第１のカム（８）は、前記覆い（３、４）に向かって開いたロックエレメント（２３）のための軌道カムとして働く第１のスリット状凹部（２７）を有し、これが前記覆い（３、４）と反対側の部域に向かって下り、その真下に向かって下る端部域（２８）がロック部域を作るプレート（２６）からなることを特徴とする、請求項１〜５の１項に記載の引出し。
【請求項７】
前記第２のカム（９）は、前記覆い（３、４）に向かって開いたロックエレメント（２３）のための軌道カムとして働く第２のスリット状凹部（３０）を有し、これが前記覆い（３、４）と反対側の部域に向かって上り、その真上に向かって上る端部域（３１）がロック部域を作るプレート（２９）からなることを特徴とする、請求項１〜６の１項に記載の引出し。
【請求項８】
リニアガイド（５）が引出し（２）の両側に配置されており、前記リニアガイド（５）が各々、引出し（２）に締結された第１のレール（６）と、ボックス（１）に締結できる第２のレール（７）からなり、この両方のレール（６、７）がガイドエレメントにより互いに縦方向に褶動できるように連結されており、第１のカム（８）が前記第１のレール（６）に、第２のカム（９）が前記第２のレール（７）に締結されていることを特徴とする、請求項１〜７の１項に記載の引出し。
【請求項９】
保持エレメント（１４）にストッパ（３３）が取付けられていて、前記第１のカム（８）に取付けられた止まりエレメント（３２）と協働し、これにより、前記覆い（３、４）がボックス（１）の中に入り込む運動が制限されることを特徴とする、請求項１〜８の１項に記載の引出し。
【請求項１０】
引出し（２）が、底板（１５）、２つの側壁及び２つの正面壁（１６、１７）からなり、前記側壁がリニアガイド（５）とカム（８、９）を覆い、引出し（２）を引出すとき、前記覆い（３、４）がそれぞれ対応する正面壁（１６、１７）に接していることを特徴とする、請求項１〜９の１項に記載の引出し。
【発明の詳細な説明】
【技術分野】
【０００１】
本発明は、両側でリニアガイドに沿って引出し方向に引出すことのできる自立型ボックスのための引出しで、正面側の端部域にそれぞれ覆いを付けていて、この覆いに備え付けられた取外し可能なロック装置により、引出しをボックスから引出す際に覆いが一方の側で引出しの引出される側の正面側端部域にロックでき、反対側で開口部をふさぐためにボックスにロックできるようになっている自立型ボックスのための引出しに関するものである。
【背景技術】
【０００２】
特に、例えば台所設備において間仕切り用家具として使用される自立型フロアキャビネットの場合、このボックスに嵌め込まれた引出しが両側で引出しでき、それで両側から接近できる必要がある。その場合、美観上の要求を満たし得るようにするため、両側で引出すことのできる引出しの両側に覆いを設けることが必要である。ここで、両側に覆いを付けた引出しの機能は、引出しの引出しされた側の覆いが引出しと共にロックされる一方、反対側の覆いが、引出しが引出されたことによって生じたボックス開口部をふさぐためにボックスと共にロックされるように設計されていなければならない。
【０００３】
解決策としては、両側で引出しできる引出しが引出され始めると直ぐに高さ位置を変え、この高さ位置変化により、相応の覆いロック機構が作動させられるような作りにすることが知られている。これはしかし、特に引出しの中に収納された物の重さが比較的大きいとき、この引出しの引出す動作が困難を伴うという欠点を持つ。更に、この方式は、引出しを単純に引出す場合にしか可能でなく、全部引出す場合には不可能である。
【発明の開示】
【発明が解決しようとする課題】
【０００４】
よって、本発明の課題は、収納物の重さに関係なく、大して力を費やすことなく両側で引出すことができ、加えて、全部引出すこともできる引出しを創作することにある。
【課題を解決するための手段】
【０００５】
この課題は、発明通り、各ロック装置が、覆いに取付けられた、引出し方向に対して横向きに褶動できるロックエレメントを保持する保持部品、引出しに取付けられた第１のカム、及び、ボックスに取付けることのできる第２のカムからなり、引出しを引出すとロックエレメントが第２のカムによって制御されながら第１のカムのロック部域の中に達し、引出しを覆いから引離すとロックエレメントが第１のカムによって制御されながら第２のカムのロック部域の中に達するように、第１のカムと第２のカムが形作られていることによって解決される。
【発明の効果】
【０００６】
この解決をもってすれば、引出しの中の収納物がどれだけの重さであるかに関係なく、引出しをリニアガイドに沿って両側で引出すときに最適の動きが達成される。
【発明を実施するための最良の形態】
【０００７】
有利な仕方では、両方の覆いのためにそれぞれ２つのロック装置が設けられていて、これらがそれぞれ対応する覆いの側縁部域に配置されている。これにより、これらのロック装置は、引出しとボックス境界の間にある側面スペースの中に収納できる。この中にはリニアガイドも収納されており、これで、覆いにとって最適の保持が達成される。
【０００８】
本発明の更なる有利な形態では、各保持部品が、覆いに締結された１つの締結ピースから作られており、その一方の脚が覆いから引出し方向に突き出ており、これに、互いに間隔をあけた２枚のプレートから作られた保持エレメントが調整可能な形で締結されており、そのプレートのそれぞれに設けられた縦スリットの中に、ピンの形をなすロックエレメントが挿入できるようになっている。これにより、覆いは、ボックスを基準として、一方で引出しの引出し方向において、他方で隣接する正面覆いを基準として覆いの高さ位置と横方向位置に関しても最適の仕方で調整できることになる。加えて、それぞれ縦スリットを付けた２枚のプレートによって作られた保持エレメントの作りが、ロックエレメントとして働くピンにとって最適のガイドを作っている。
【０００９】
保持エレメントの両プレートの縦スリット内部におけるピンのガイドは、ピンの両方の端部域にプレートで支えられるガイド面を設けることによって改良される。
【００１０】
有利な仕方では、第１のカムと第２のカムは、引出しがボックスに押込まれた状態のときに重なり合って両プレートの間に立つように配置されている。省スペースに加えて、こうした配置であることにより、ロックエレメントが最適の形で作動できることにもなる。
【００１１】
有利な仕方では、第１のカムは、覆いに向かって開いたロックエレメントのための軌道カムとして働く第１のスリット状凹部を有し、これが覆いと反対側の部域に向かって下り、その真下に向かって下る端部域がロック部域を作るプレートからなり、第２のカムは、同じく覆いに向かって開いたロックエレメントのための軌道カムとして働く第２のスリット状凹部を有し、これが覆いと反対側の部域に向かって上り、その真上に向かって上る端部域がロック部域を作るプレートからなる。この両方のカムはこれで極めて簡単に製造でき、これにより、ロックエレメントの制御は最適の仕方で可能となる。
【００１２】
本発明の更なる有利な形態では、リニアガイドが引出しの両側に配置されており、各リニアガイドが、引出しに締結された第１のレールと、ボックスに締結できる第２のレールからなり、この両方のレールがガイドエレメントにより互いに縦方向に褶動できるように連結されており、第１のカムが第１のレールに、第２のカムが第２のレールに締結されている。この配置により、このユニットを工場側で製造し、組立てることが可能であり、これにより、現場でボックスに組込むことが容易となる。
【００１３】
有利な仕方では、保持エレメントにストッパが取付けられていて、第２のカムに取付けられた止まりエレメントと協働し、これにより、覆いがボックスの中に入り込む運動は制限される。これにより、ボックスにおける覆いに厳密な位置決めが可能である。
【００１４】
有利な仕方では、引出しは、底板、２つの側壁及び２つの正面壁から作られており、ここで、側壁は、リニアガイドとカムを覆う覆板からなり、覆いは、引出しを引出すときその都度対応する正面側に接している。こうして単純な構造が出来上がり、加えて、ガイドとカムは汚れからも保護されている。
【００１５】
以下、本発明の一実施例を添付図面に則して詳細に説明する。
【００１６】
図１に描かれているのは、例えば、間仕切りに使用されるような、台所設備の自立型フロアキャビネットを構成するボックス１である。その上部域にボックス１は引出し２を具備する。この引出し２は、ボックス１の両側で引出すことができ、この引出し２の引出された状態が実線で描かれ、他方側で引出されたときの引出し２が１点鎖線で描かれている。それぞれの側で引出し２を引出すとき、第１の覆い３は引出し２と共にロックされており、他方、第２の覆い４と共にロックされており、これで、こちらの側で引出しを引出すことによって生じることになる開口部を覆う。
【００１７】
図２から分かる通り、引出し２には両側でそれぞれ１つのリニアガイド５が取付けられている。このリニアガイド５は各々、引出し２に締結された第１のレール６からなる。更に、このリニアガイド５は各々、ボックス１に締結できる第２のレール７を包含する。この両方のレール６及び７は、従来公知の仕方でガイドエレメント、例えば、第１のレール６が第２のレール７を基準として引出し方向にガイドされながら褶動するのを可能にするボールガイドにより互いに連結されている。
【００１８】
第１のレール６の各々にはそれぞれ１つの第１のカム８が締結されている。この第１のカム８は、これで、引出し２をボックス１（図１）から引出すとき、引出し２と共に移動する。第２のレール７の各々には、その端部域でそれぞれ１つの第２のカム９が締結されている。この第２のカム９は、これで、ボックス側で動かないように保持されている。
【００１９】
両方の覆い３及び４にはそれぞれ保持部品１０が締結されており、後からなお見る通り、そこでロックエレメントが保持されている。この保持部品１０は、同じく後からなお述べる通り、第１のカム８及び第２のカム９と協働するように覆い３及び４に配置されている。
【００２０】
各保持部品１０は締結ピース１１から作られており、本実施例では、これは、一方の脚１２でそれぞれの覆い３ないしは４に締結されたアングル１１として形作られている。それぞれの覆い３ないしは４から引出し方向に突き出ている他方の脚１３には、保持エレメント１４が調整可能な形で締結されている。この保持エレメントについては、後でなお詳細に述べる。
【００２１】
この図解から分かる通り、引出し２は、底板１５、２つの正面壁１６及び１７、及び、覆板１８及び１９（図１）から作られた２つの側壁からなり、この側壁が、リニアガイド５とカム８及び９を覆う。
【００２２】
図３は、先に述べた通り、引出し２のために多様な作りで配置された通りのロック装置を示す。保持エレメント１４は、それぞれ縦スリット２２を付けた、互いに間隔をあけた２つのプレート２０及び２１からなる。縦スリット２２は、引出し方向に対して垂直に配置されている。この縦スリット２２の中に、ピン２４の形をなすロックエレメント２３が挿入される。このピン２４は、両方の端部域にそれぞれ１つのガイド面２５を備えている。ロックエレメント２３が縦スリット２２に挿入された状態のとき、この両方のガイド面２５はプレート２０及び２１で支えられ、これにより、このロックエレメント２３は最適の形でガイドされることになる。このロックエレメント２３は、縦スリット２２に沿って褶動できるようになっている。
【００２３】
第１のレール６に締結された第１のカム８は、プレート２６からなる。プレート２６は、ロックエレメント２３のための軌道カムとして働く第１のスリット状凹部２７を有する。この第１のスリット状凹部２７は、覆い３に向かって開いている。覆い３と反対側の部域に向かって、この第１のスリット状凹部は下り、その真下に向かって下る端部域２８の中で終わり、これがロック部域を作る。
【００２４】
第２のカム９は、第２のレール７に締結されたプレート２９からなり、これが、同じくロックエレメント２３のための軌道カムとして働く第２のスリット状凹部３０を有する。この第２のスリット状凹部も覆い３に向かって開いており、覆いと反対側の部域に向かって上り、その真上に向かって上る端部域３1の中で終わり、これがロック部域を作る。
【００２５】
図４は、リニアガイド５の第１のレール６と第２のレール７を示す断面図である。第１のレール６には第１のカム８が締結され、第２のレール７の方には第２のカム９が締結されている。この両方のカム８及び９は、保持エレメント１４のプレート２０と２１の間に立つように配置されている。この図では、プレート２０及び２１の縦スリット２２に挿入されたロックエレメント２３も見られる。ここでは、後でなお述べる通り、ロックエレメント２３の外部域が両方のプレート２０及び２１の縦スリット２２の中に通されていて、このロックエレメント２３の第１のカム８と第２のカム９がこの縦スリット２２の中を垂直に移動できることが分かる。
【００２６】
図５から分かる通り、引出し２が引出されたとき、ロックエレメント２３は第１のカム８の垂直部域２８にある。これで、保持エレメント１４の両方のプレート２０及び２１は、縦スリット２２の下部域にあるロックエレメント２３を介してこの第１のカム８に対してロックされている。覆い３は、これでこの引出し２で保持されている。両方のプレート２０及び２１は、ここで第１のレール６で支えられ、加えて、第１のカム８に取付けられた止まりエレメント３２によって保持される。止まりエレメントは、保持エレメント１４の凹部と協働し、ここでストッパ３３として働く。
【００２７】
覆い３が引出し２を基準としてこの固定位置にあるとき、覆い３は、先に述べた通り、保持エレメント１４とアングル１１（図２）の間で調節できることにより、ボックス１の正面３４に合わせて調整することができる。
【００２８】
図５に示す通り、引出し２をその引出された位置から押込むと、第１のカム８は第２のカムを越えて褶動させられる。これは、両方のカムが並んで立つ形で配置されているからである。ロックエレメント２３は、ここで第２のカム９の第２のスリット状凹部３０の上り部域に接近する。
【００２９】
図７から分かる通り、引出し２を更にボックス１に押込むと、ロックエレメント２３は、第２のカム９の第２のスリット状凹部３０の上り部域を通って徐々に保持エレメント１４の縦スリット２２の中を上っていく。但し、ロックは未だ解除されない。
【００３０】
図８に示す通り、引出し２がボックス１に完全に押込まれた状態のとき、ロックエレメント２３は、第２のスリット状凹部３０の輪郭に沿って更に上っていく。ここに、ロックエレメント２３は、第１のカム８の第1のスリット状凹部２７の垂直部域２８から到達する。だが、ロックエレメントは同時に、第２のカム９の第２のスリット状凹部３０の垂直部域３1に到達する。これにより、覆い３は、図８に示す通り、第２のカム９を基準としてボックス１に接する位置で保持される。これで、引出し２はボックスに押込まれた状態に達したことになる。
【００３１】
今、引出し２を他方側で引出すと、すなわち覆い３から離れる方向に引出すと、ロックエレメント２３は、制御されながら第１のカム８の第１のスリット状凹部２７の上り部域を通って上っていき、第２のカム９の第２のスリット状凹部３０の垂直部域３1に到達する。これにより、保持エレメント１４は、また、これと共に覆い３は、ボックス１を基準として固定位置にある第２のカム９でロックされる。
【００３２】
引出し２を更に覆い３から離れる方向に引出すと、第１のカム８は第２のカム９の部域から出ていき、ロックエレメント２３は上位置で第２のカムのスリット状凹部の垂直部域３1で立ったままとなり、ばねエレメント３５により保持される。ロックエレメント２３は、これで第１のカム８の第１のスリット状凹部２７から出ていく。覆い３は、これで、ボックス１の引出し開口部をふさぐ位置に保持される。
【００３３】
逆の動作の場合、先に述べたロック操作ステップは逆の順序で行われる。引出しの反対側では同時にロック操作ステップがそれぞれ逆の順序で行われるのである。
【００３４】
この装置をもってすれば、覆いをそれぞれ褶動可能な引出し２ないしはボックス１と共に最適の仕方でロックし、ロック解除することができる。引出しの動き特性が損なわれることはない。
【００３５】
有利な、知られている仕方で、この引出しに緩衝エレメント及び引入れ補助具を取付けることができる。それぞれ勝手違いで二重に作られるこのエレメントをもってすれば、引出しを閉めたときに端位置緩衝が行われ、同時に引出しは正しい引込み位置におさめられる。これにより、強く閉めたときに引出しが走り抜けて他方側から飛び出ることは回避される。
【図面の簡単な説明】
【００３６】
【図１】両側で引出すことのできる引出しを嵌め込んだボックスの立体図である。
【図２】覆いロック装置を備えた、両側で引出すことのできる引出しの構造を示す立体図である。
【図３】図２に示したロック装置の拡大立体図である。
【図４】カムを隣接配置した縦ガイドの断面図である。
【図５】引出しが引出され、覆いがその引出しにロックされた状態におけるロック装置を示す概略図である。
【図６】押込まれる状態に向かって褶動するときの引出しのロック装置を示す図である。
【図７】押込まれる状態に向かって褶動するときの引出しのロック装置を示す図である。
【図８】引出しが完全にボックスの中に入り込んだ状態にあるときのロック装置を示す図である。
【図９】引出しがボックスの他方側で引出され、覆いが第２のカムでロックされた状態にあるときのロック装置を示す図である。
【図１０】引出しが、図９に示した状態と比べて更に引出された状態にあるときのロック装置を示す図である。
【図１１】引出しが更に引出された状態にあるときのロック装置を示す図である。
【符号の説明】
【００３７】
１  ボックス
２  引出し
３  第１の覆い
４  第２の覆い
５  リニアガイド
６  第１のレール
７  第２のレール
８  第１のカム
９  第２のカム
１０  保持部品
１１  アングル
１４  保持エレメント
２２  縦スリット
２３  ロックエレメント
２４  ピン
２７  第1のスリット状凹部
３０  第２のスリット状凹部
【図１】
2006305350.tif 000003
【図２】
2006305350.tif 000004
【図３】
2006305350.tif 000005
【図４】
2006305350.tif 000006
【図５】
2006305350.tif 000007
【図６】
2006305350.tif 000008
【図７】
2006305350.tif 000009
【図８】
2006305350.tif 000010
【図９】
2006305350.tif 000011
【図１０】
2006305350.tif 000012
【図１１】
2006305350.tif 000013